【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
互いに異なる第１の方向及び第２の方向に延在するマトリクス状のセンサ導体を有するセンサと前記センサの動作を制御するセンサコントローラとともに使用されるアクティブスタイラスであって、
筐体の先端部に配設された電極と、
前記センサコントローラとの間で双方向通信を行う通信回路と、
前記電極からの信号送信のための信号発生器と、
信号強度コントローラを備えており、
前記信号強度コントローラは、前記通信回路を介して取得した、前記センサと前記アクティブスタイラスとの間の距離に対応した信号に基づいて、前記筐体の先端部に配設された前記電極から送信される信号の強度を制御するように構成されていることを特徴とするアクティブスタイラス。
【請求項２】
前記信号強度コントローラは、前記通信回路を介して取得した前記信号に基づいて、前記筐体の先端部に配設された前記電極から送信される信号の強度を増加あるいは低減させるように制御することを特徴とする請求項１に記載のアクティブスタイラス。
【請求項３】
前記信号強度コントローラは、前記通信回路を介して取得した前記信号に基づいて、前記筐体の先端部に配設された前記電極から送信される信号の強度をステップ状に制御するように構成されていることを特徴とする請求項１に記載のアクティブスタイラス。
【請求項４】
前記信号強度コントローラは、前記通信回路を介して取得した前記信号に基づいて、前記筐体の先端部に配設された前記電極から送信される信号の強度を連続的に制御するように構成されていることを特徴とする請求項１に記載のアクティブスタイラス。
【請求項５】
前記通信回路を介して取得した前記信号はコマンド信号であって、前記信号強度コントローラは、前記コマンド信号に基づいて、前記筐体の先端部に配設された前記電極から送信される信号の強度を制御するように構成されていることを特徴とする請求項１に記載のアクティブスタイラス。
【請求項６】
前記通信回路による通信は、前記アクティブスタイラスと前記センサとの間で、静電的に行われることを特徴とする請求項１に記載のアクティブスタイラス。
【請求項７】
前記通信回路による通信は、前記アクティブスタイラスと前記センサコントローラとの間で、ＲＦ信号によって行われることを特徴とする請求項１に記載のアクティブスタイラス。
【請求項８】
前記ＲＦ信号は、ブルートゥース（登録商標）通信プロトコルの信号であることを特徴とする請求項７に記載のアクティブスタイラス。
【請求項９】
互いに異なる第１の方向及び第２の方向に延在するマトリクス状のセンサ導体を有するセンサと前記センサの動作を制御するセンサコントローラとともに使用されるアクティブスタイラスの送信信号強度の制御方法であって、
前記センサコントローラと前記アクティブスタイラスとの間は双方向通信が行われ、
前記センサコントローラの制御に基づいて送信された、前記センサと前記アクティブスタイラスとの間の距離に対応した信号に基づいて、前記筐体の先端部に配設された前記電極から送信される信号の強度を制御するように構成されていることを特徴とするアクティブスタイラスの送信信号強度の制御方法。
【請求項１０】
前記センサコントローラの制御に基づいてコマンド信号が送信され、前記コマンド信号に基づいて前記筐体の先端部に配設された前記電極から送信される信号の強度を制御するように構成されていることを特徴とする請求項９に記載のアクティブスタイラスの送信信号強度の制御方法。
【請求項１１】
前記センサコントローラの制御に基づいて前記アクティブスタイラスへの前記コマンド信号の送信は、前記センサとの間の静電的通信によって行われることを特徴とする請求項１０に記載のアクティブスタイラスの送信信号強度の制御方法。
【請求項１２】
前記センサコントローラの制御に基づいて前記アクティブスタイラスへの前記コマンド信号の送信は、ＲＦ通信によって行われることを特徴とする請求項１０に記載のアクティブスタイラスの送信信号強度の制御方法。
【請求項１３】
筐体の先端部に信号送信電極が配設されたアクティブスタイラスとともに使用される、互いに異なる第１の方向及び第２の方向に延在するマトリクス状のセンサ導体を有するセンサに接続されて前記センサを制御するセンサコントローラであって、
前記アクティブスタイラスとの間で双方向通信を行うとともに、
前記アクティブスタイラスから送信された信号から取得された、前記センサと前記アクティブスタイラスとの間の距離に対応した信号に基づいて、前記アクティブスタイラスの前記信号送信電極から送信される信号の強度を制御する信号を前記アクティブスタイラスに送信するように構成されていることを特徴とするセンサコントローラ。
【請求項１４】
前記アクティブスタイラスから送信された信号から取得された、前記センサと前記アクティブスタイラスとの間の距離に対応した信号に基づいて、前記アクティブスタイラスの前記信号送信電極から送信される信号の強度を増加あるいは低減させるように制御することを特徴とする請求項１３に記載のセンサコントローラ。
【請求項１５】
前記アクティブスタイラスの前記信号送信電極から送信される信号の強度を制御する信号はコマンド信号であることを特徴とする請求項１４に記載のセンサコントローラ。
【請求項１６】
前記センサと前記アクティブスタイラスとの間の距離に対応した信号に基づいて、前記アクティブスタイラスの前記信号送信電極から送信される信号の強度をステップ状に制御する信号を前記アクティブスタイラスに送信するように構成されていることを特徴とする請求項１３に記載のセンサコントローラ。
【請求項１７】
前記センサと前記アクティブスタイラスとの間の距離に対応した信号に対応して、前記アクティブスタイラスの前記信号送信電極から送信される信号の強度を連続的に制御する信号を前記アクティブスタイラスに送信するように構成されていることを特徴とする請求項１３に記載のセンサコントローラ。
【請求項１８】
前記アクティブスタイラスとの間で行われる前記双方向通信は、前記アクティブスタイラスと前記センサとの間で行われるとともに、前記通信は静電的に行われることを特徴とする請求項１３に記載のセンサコントローラ。
【請求項１９】
前記アクティブスタイラスとの間で行われる前記双方向通信は、前記アクティブスタイラスと前記センサコントローラとの間で行われるとともに、前記双方向通信はＲＦ信号によって行われることを特徴とする請求項１５に記載のセンサコントローラ。
【手続補正２】
【補正対象書類名】明細書
【補正対象項目名】０００６
【補正方法】変更
【補正の内容】
【０００６】
上記の課題を解決するために、
互いに異なる第１の方向及び第２の方向に延在するマトリクス状のセンサ導体を有するセンサと前記センサの動作を制御するセンサコントローラとともに使用されるアクティブスタイラスであって、
筐体の先端部に配設された電極と、
前記センサコントローラとの間で双方向通信を行う通信回路と、
前記電極からの信号送信のための信号発生器と、
信号強度コントローラを備えており、
前記信号強度コントローラは、前記通信回路を介して取得した、前記センサと前記アクティブスタイラスとの間の距離に対応した信号に基づいて、前記筐体の先端部に配設された前記電極から送信される信号の強度を制御するように構成されていることを特徴とするアクティブスタイラスを提供する。
【手続補正３】
【補正対象書類名】明細書
【補正対象項目名】００１１
【補正方法】変更
【補正の内容】
【００１１】
前記スタイラスは、筐体に収容された、電源、情報マネージャ、データマネージャ、センサ、ボタン、通信モジュール(回路)、電極、及び利得コントローラを備え得る。前記電源は、前記スタイラスに電源を供給する。前記情報マネージャは、前記スタイラスのスタイラス機能情報を記憶するメモリまたはキャッシュを備え得る。前記データマネージャは、先端圧力データ及び方向データなどの、前記スタイラスの動作状態を示す動作データを作成する。前記センサは、前記スタイラスの動作データを生成する、スタイラス先端圧力センサ及びバレルセンサなどの１つまたは複数のセンサを備える。前記通信モジュールは、前記電子装置との双方向通信を提供する。前記利得コントローラは、前記通信モジュールの送信回路（TX）によって送信される信号の利得または強度を調整する。したがって、利得コントローラは、信号強度コントローラとしても働く。一態様において、前記スタイラスは、さらに、前記通信モジュールの受信回路（RX）によって前記センサコントローラから受信された信号の強度を計測する信号強度センサを備える。